(57)【要約】【課題】電柱に備えられたコンセントから電源を容易に電気機器に供給できるようにする。また、コンセントを雨、埃等から保護する。【解決手段】電柱１０の上方に上方開口部１０ａ、下方に下方開口部１０ｂを設け、上方開口部１０ａに対応した内部位置に、引込分岐箱１２内の配電線１１に一端が接続された引込ケーブル１３の他端を接続する端子基板１５を配設し、下方開口部１０ｂに対応した内部位置に接続ケーブル１６を介して端子基板１５と接続されたコンセント基板１８を配設する。また、上方開口部１０ａおよび下方開口部１０ｂにそれぞれ蓋１４および蓋１７を開閉自在に取り付け、端子基板１５に引込ケーブルを接続する工事を行うとき以外、およびコンセント基板１８にプラグを挿入して電源供給を受けるとき以外は蓋１４および蓋１７を閉じた状態にする。【選択図】        図１
2007020253.tif 000002
【特許請求の範囲】
【請求項１】
上方および下方にそれぞれ上方開口部および下方開口部が設けられ、
上記上方開口部に対応する内部位置に端子基板が配設され、
上記下方開口部に対応する内部位置にコンセント基板が配設され、
上記上方開口部および上記下方開口部にそれぞれ蓋が開閉自在に取り付けられ、
上記端子基板および上記コンセント基板の間に対応する内部位置に接続ケーブルが配設され、
上記端子基板は、配電線に一端が接続された引込ケーブルの他端を接続するための入力端子、および該入力端子に電気的に接続され、上記接続ケーブルの一端を接続するための出力端子を有し、
上記コンセント基板は、上記接続ケーブルの他端を接続するための入力端子、および該入力端子に電気的に接続されるコンセントを有する
ことを特徴とする電柱。
【請求項２】
上記上方開口部に取り付けられた蓋もしくは上記上方開口部の周囲に位置する電柱側面に、上記引込ケーブルを内部に導入するための通過手段が設けられている
ことを特徴とする請求項１に記載の電柱。
【請求項３】
上記コンセント基板は、プリペイドカードの残高を読み取るカードリーダと、
上記カードリーダで読み取られた上記プリペイドカードの残高に応じて上記入力端子と上記コンセントとの接続を制御する制御部とを備える
ことを特徴とする請求項１に記載の電柱。
【請求項４】
上記コンセント基板は、上記プリペイドカードの残高を表示する表示部をさらに備える
ことを特徴とする請求項３に記載の電柱。
【発明の詳細な説明】
【技術分野】
【０００１】
この発明は、電柱に関する。詳しくは、この発明は上方に開閉自在に蓋が取り付けられた上方開口部を設け、この上方開口部に端子基板を配設すると共に、下方に開閉自在に蓋が取り付けられた下方開口部を設け、この下方開口部にコンセントを持つコンセント基板を配設することによって、引込ケーブルを端子基板の端子に接続するだけでコンセントから電気機器に電源を供給でき、また、端子基板およびコンセント基板を雨、埃等から容易に保護できるようにした電柱に係るものである。
【背景技術】
【０００２】
例えば、電気自動車、電動式農機具等の電気機器は屋外で使用される。そのため、電源を供給し得る施設が屋外に数多くあれば便利である。そこで従来、電柱にコンセントを設置することが提案されている（例えば特許文献１参照）。
【０００３】
【特許文献１】実用新案登録第３０６６２５４号公報
【発明の開示】
【発明が解決しようとする課題】
【０００４】
上述したように電柱にコンセントを設置するものにあっては、電柱に、引込ケーブルを接続するための制御部、およびコンセントを有する操作部を外付けすることが必要であり、コンセントから電気機器に電源を供給できるようにすることを簡単には行い得ない。
【０００５】
また、上述したように、電柱にコンセントを設置するものにあっては、コンセントが外部に露出しており、雨、埃等がコンセントに入り込みやすく、これらが故障の原因となる。また、電柱の外部側面にコンセントを有する操作部等が取り付けられているため、この操作部等が電柱から突出した状態となり、外観を損ねる。さらに、電柱の外部側面でも、人の手が届きやすい位置に操作部が取り付けられているため、突出した操作部が人や車等の通行の妨げとなるおそれがある。
【０００６】
この発明の目的は、電柱部分からの電源の供給を容易に行い得るようにし、また雨、埃等からコンセント基板を適切に保護し、さらに電柱部分からの電源供給のために人や車等の通行を妨げたり、外観を損ねたりしないようにすることにある。
【課題を解決するための手段】
【０００７】
この発明の概念は、
上方および下方にそれぞれ上方開口部および下方開口部が設けられ、
上記上方開口部に対応する内部位置に端子基板が配設され、  
上記下方開口部に対応する内部位置にコンセント基板が配設され、
上記上方開口部および上記下方開口部にそれぞれ蓋が開閉自在に取り付けられ、
上記端子基板および上記コンセント基板の間に対応する内部位置に接続ケーブルが配設され、
上記端子基板は、配電線に一端が接続された引込ケーブルの他端を接続するための入力端子、および該入力端子に電気的に接続され、上記接続ケーブルの一端を接続するための出力端子を有し、
上記コンセント基板は、上記接続ケーブルの他端を接続するための入力端子、および該入力端子に電気的に接続されるコンセントを有する  
ことを特徴とする電柱にある。
【０００８】
この発明において、電柱には、上方に上方開口部、下方に下方開口部が設けられている。これら開口部は、例えば後述する端子基板およびコンセント基板の大きさに合わせて、それぞれ例えば四辺形の形をしている。上方開口部に対応する電柱の内部位置には、端子基板が配設され、下方開口部に対応する電柱の内部位置には、コンセント基板が配設されており、これらは接続ケーブルによって接続されている。端子基板は配電線に一端が接続された引込ケーブルの他端を接続する入力端子と、この入力端子に電気的に接続され、接続ケーブルの一端を接続する出力端子をもち、これら端子は、例えば上方開口部の方向に向けられている。コンセント基板は、接続ケーブルの他端を接続する入力端子と、この入力端子に電気的に接続されたコンセントを持つ。このように、電柱に新たに制御部および操作部等を外付けすることなく、引込ケーブルを端子基板の端子に接続するだけでコンセントから電気機器に電源を容易に供給することができる。
【０００９】
また、上方開口部および下方開口部にはそれぞれ蓋が開閉自在に取り付けられている。端子基板に引込ケーブルを接続する工事を行うとき以外、およびコンセントにプラグを挿入して電源供給を受けるとき以外はそれぞれの蓋を閉じた状態にしておけば、端子基板とコンセント基板を雨や埃等から保護することができる。
【００１０】
また、引込ケーブルが電柱の外側をつたい、上方開口部を経て端子基板に接続されるとき、引込ケーブルは上方開口部とそこに取り付けられた蓋の間に挟まれる。このとき、蓋が完全には閉まらなくなり、上方開口部と蓋の間に隙間ができ、そこから雨や埃等が入り込むおそれがある。そこで、例えば蓋、もしくは上方開口部周囲に位置する電柱側面に、引込ケーブルを電柱内部に導入するための、通過手段、例えば引込ケーブルが入る程度の直径の穴を設けてもよい。この通過手段を設けることによって、引込ケーブルを端子基板に接続した状態でも上方開口部と蓋の間に隙間ができることなく、雨や埃等が入り込むことを良好に防ぐことができる。
【００１１】
また、コンセント基板は、プリペイドカードが使用できるようにしてもよい。この場合、コンセント基板は、プリペイドカードの残高を読み取るカードリーダと、プリペイドカードの残高に応じてコンセント基板の入力端子とコンセントとの接続を制御する制御部を備えるようにされる。制御部は電力使用量に応じてプリペイドカードの残高を減らしていき、残高がある間は入力端子がコンセントに接続されるようにする。これにより、プリペイドカードの残高がある間のみ、コンセントから電源を取ることが可能となり、不正使用を防止できる。さらに、ユーザーの便宜のためにプリペイドカードの残高を表示する表示部を備えていてもよい。
【発明の効果】
【００１２】
この発明によれば、電柱の上方に上方開口部を設け、この上方開口部に端子基板を配設し、下方に下方開口部を設け、この下方開口部にコンセントを持つコンセント基板を配設するものであり、引込ケーブルを端子基板の端子に接続するだけで、コンセントから電気機器に電源を供給できる。また、上方開口部および下方開口部にそれぞれ蓋を開閉自在に取り付けることによって、端子基板およびコンセント基板を雨や埃等から容易に保護することができる。
【発明を実施するための最良の形態】
【００１３】
以下、図面を参照しながら、この発明の実施の形態について説明する。図１は、実施の形態としての電柱１０の構成を示している。図２は電柱１０を上方開口部１０ａおよび下方開口部１０ｂに対して平行に切り取った縦断面図である。また、図３は電柱１０の右側面を上方開口部１０ａおよび下方開口部１０ｂに対して垂直に切り取った縦断面図であり、蓋１４および蓋１７が開いた状態を示している。図３では、引込ケーブル１３および接続ケーブル１６は省略してある。さらに、図４は電柱１０の上方開口部１０ａより上の位置を地上と平行に切り取った横断面図であり、図５は電柱１０の上方開口部１０ａと下方開口部１０ｂの間の位置を地上と平行に切り取った断面図である。以下、図１〜図５を用いて電柱１０の構成を詳しく説明する。
【００１４】
電柱１０の上方には上方開口部１０ａが設けられており、これには例えば金属製の蓋１４が取り付けられている。蓋１４は、図３に示すように、ヒンジ１４ｂを介して上方開口部１０ａに開閉自在に取り付けられている。ヒンジ１４ｂは例えばボルト、あるいは接着剤によって電柱１０の側面および蓋１４に接続されている。また、蓋１４の外部側面には取っ手１４ａが例えば溶接により一体的に取り付けられている。蓋１４は、取っ手１４ａを手前に引くことによって、図３に示すように、開いた状態となる。
【００１５】
上方開口部１０ａに対応した電柱１０の内部位置に、端子基板１５が配設されている。端子基板１５は図４に示すように左右両端と、後部にそれぞれ支持部材２３を設けることによって、電柱１０の内部側面に固定されている。支持部材２３は例えば接着剤によって端子基板１５および電柱１０の内部側面に接続されている。
【００１６】
端子基板１５は、図２に示すように、入力端子２１と出力端子２２を有し、これらは内部で電気的に接続されている。入力端子２１は、電柱１０の腕金１０ｃに設置された引込分岐端子箱１２を介して配電線１１に一端が接続される引込ケーブル１３の他端を接続するためのものである。また、出力端子２２は、一端がコンセント基板１８の入力端子３１に接続される接続ケーブル１６の他端を接続するためのものである。
【００１７】
蓋１４には、図３に示すように、例えば引込ケーブル１３がちょうど通過できる程度の直径の穴２４が開けられている。これにより、引込ケーブル１３を穴２４に通して端子基板１５に接続することができる。こうすることによって、上方開口部１０ａと蓋１４との間に隙間をつくることなく、蓋１４を完全に閉じることができるので、より確実に雨や埃等の入り込みを防ぐことができる。
【００１８】
また、引込ケーブル１３が端子基板１５の入力端子２１に接続されていないときは、穴２４から雨や埃等が端子基板１５に入り込まないように、穴２４を例えば図示しないゴム栓等で塞ぐことで、雨や埃から端子基板１５を保護することができる。
【００１９】
電柱１０の下方には、下方開口部１０ｂが設けられており、これには例えば金属製の蓋１７が取り付けられている。下方開口部１０ｂは、人間の手が届きやすい位置に設けられる。蓋１７は、図３に示すように、ヒンジ１７ｂを介して下方開口部１０ｂに開閉自在に取り付けられている。ヒンジ１７ｂは例えばボルト、あるいは接着剤で電柱１０の側面および蓋１７に接続されている。さらに蓋１７の外側には、取っ手１７ａが例えば溶接により一体的に取り付けられており、図３に示すように、取っ手１７ａが手前に引かれることによって開いた状態となる。
【００２０】
下方開口部１０ｂに対応した電柱１０の内部位置に、コンセント基板１８が配設されている。コンセント基板１８は、電柱１０の内部側面との間に、図５に示すように左右両端と、後部にそれぞれ支持部材３２を設けることによって固定されている。支持部材３２は例えば接着剤によってコンセント基板１８および電柱１０の内部側面に接続されている。
【００２１】
コンセント基板１８は、図２に示すように、入力端子３１を有している。入力端子３１は、接続ケーブル１６を介して端子基板１５に接続されている。また、コンセント基板１８はコンセント３６を有し、入力端子３１はコンセント３６に内部で電気的に接続される。コンセント基板１８はさらにプリペイドカード（以下、カードと言う）を読み取るカードリーダ３３、カード挿入口３３ａ、取り出しボタン３４、表示部３５を備えている。
【００２２】
次に、コンセント基板１８の回路系を、図６を使用して説明する。
コンセント基板１８は、入力端子３１と、カードリーダ３３と、カード挿入口３３ａと、取り出しボタン３４と、表示部３５と、コンセント３６と、電流測定部３７と、スイッチ３８と、制御部３９とを有している。制御部３９は全体の動作を制御する。
【００２３】
カードリーダ３３はユーザーによってカード挿入口３３ａにカードが挿入されるとき、残高を読み取ってその情報を制御部３９に供給する。また、カードリーダ３３は、カード取り出し時に、更新された残高の情報を制御部３９からもらってカードに記録する。表示部３５はカードの残高を表示し、例えばＬＣＤ（Liquid Crystal Display）、ＥＬ（Electro  Luminescence）ディスプレイ等の表示器によって構成されている。
【００２４】
スイッチ３８は、入力端子３１とコンセント３６との間に挿入されており、カードリーダ３３で読み取られたカードの残高に応じてオン（導通状態）もしくはオフ（非導通状態）とされる。
【００２５】
電流測定部３７は、コンセント３６を介して電気機器（負荷）に流れる電流の値を測定し、その測定値を制御部３９に供給する。制御部３９はこの電流測定値に基づいて電気機器（負荷）の使用電力量を求めることができる。
【００２６】
次に、コンセント基板１８の回路系における制御部３９の制御動作を図７のフローチャートを用いて説明する。なお、コンセント基板１８の回路系は、図示せずも接続ケーブル１６から電源を得るようになっており、上述した端子基板１５の入力端子２１に引込ケーブル１３が接続されて、接続ケーブル１６から電源を得ることが可能になった後に制御を開始する。
【００２７】
まず、ステップＳＴ１で、動作を開始する。ステップＳＴ２では、ユーザーによってカードリーダ３３のカード挿入口３３ａにカードが挿入されたかを判断する。カードが挿入されなかったと判断した場合はステップＳＴ１に戻る。カードが挿入されたと判断した場合はステップＳＴ３において、挿入されたカードの残高を読み取り、ステップＳＴ４において、カードの残高が０であるか否かを判断する。
【００２８】
ステップＳＴ４で残高が０であると判断した場合は、ステップＳＴ５でカード挿入口３３ａからカードを排出する。この場合、表示部３５に残高が０であることを表示させるようにしてもよい。
【００２９】
ステップＳＴ４で残高が０ではないと判断した場合は、ステップＳＴ６でカードの残高を表示部３５に表示させ、ステップＳＴ７でスイッチ３８をオフからオンにして導通状態にする。
【００３０】
次に、ステップＳＴ８で電流測定部３７で測定された電流値を用いて使用電力の積算を開始する。そして、ステップＳＴ９で、積算電力に応じてカードの残高を更新する。また、ステップＳＴ１０で更新したカードの残高を表示部３５に表示させる。
【００３１】
次に、ステップＳＴ１１で、残高が０であるか否かを判断する。ステップＳＴ１１でカードの残高が０であると判断したときは、ステップＳＴ１３でスイッチ３８をオフにし、非導通状態にする。また、ステップＳＴ１４で残高が０であることをカードに記録し、ステップＳＴ１５でカード挿入口３３ａからカードを排出する。そして、その後、ステップＳＴ２に戻る。
【００３２】
ステップＳＴ１１でカードの残高が０ではないと判断した場合は、ステップＳＴ１２で、ユーザーによって取り出しボタン３４が操作されたかを判断する。
【００３３】
ステップＳＴ１２で取り出しボタン３４が操作されたと判断した場合は、ステップＳＴ１１で残高が０であると判断した場合と同じく、ステップＳＴ１３でスイッチ３８がオフにされ、カードに残高を記録し、カード挿入口３３ａからカードを排出する。
【００３４】
ステップＳＴ１２で取り出しボタン３４が操作されなかったと判断した場合は、ステップＳＴ１１で残高が０であると判断するまで、もしくはステップＳＴ１２で取り出しボタン３４が操作されたと判断するまで、ステップＳＴ９からステップＳＴ１１までの動作を繰り返す。
【００３５】
上述の電柱１０のコンセント３６から電気機器、例えば図１に示す電気自動車ＥＶに電源を供給するための動作を説明する。
【００３６】
まず、配電線１１に一端が接続された引込ケーブル１３の他端を端子基板１５の入力端子２１に接続する。なお、この場合、引込ケーブル１３は、バンドを用いて、電柱１０に沿わせて施設される。この状態で、コンセント基板１８のカード挿入口３３ａにプリペイドカードを挿入し、電気自動車ＥＶのプラグをコンセント３６に挿入する。こうすることによって、コンセント３６から電気自動車ＥＶへと電源が供給される。
【００３７】
このように、電柱１０によれば、上方開口部１０ａおよび下方開口部１０ｂを設け、上方開口部１０ａに対応した内部位置に端子基板１５を配設し、下方開口部１０ｂに対応した内部位置にコンセント基板１８に配設したものであり、引込ケーブル１３を端子基板１５の入力端子２１に接続するだけでコンセント３６から電気自動車ＥＶに電源を供給できる。また、上方開口部１０ａおよび下方開口部１０ｂに蓋１４および蓋１７を開閉自在に設け、端子基板１５への接続工事をしていないときは、およびコンセント３６を使用しないときは、蓋１４および蓋１７を閉じた状態にしておくことで雨や埃等から保護することができる。
【００３８】
さらに、プリペイドカード読み取り機能をコンセント基板１８に設けているので、プリペイドカードさえ持っていれば、コンセント基板１８を備えた全国各地の電柱から電気を簡単に購入することができ、便利である。また、電気料金の徴収が大変容易であり、不正使用を防止することができる。
【００３９】
なお、上述の実施の形態においては、電気自動車ＥＶを電気機器（負荷）として用いて説明したが、電気自動車以外にも、電気農機具、バーベキュー等に用いる電気コンロなど、コンセントを使用する電気機器であればどのような用途にも対応できる。
【００４０】
また、上述の実施の形態においては、蓋１４および蓋１７には取っ手１４ａおよび取っ手１７ａをそれぞれ設けて、扉のように取っ手１４ａまたは取って１７ａを手前に引いて開くものを提案したが、引き戸のように横にスライドして開くもの、もしくはシャッターのように縦にスライドさせて開くものであってもよい。
【００４１】
また、上述の実施の形態においては、蓋１４を閉じた状態にするために引込ケーブル１３を電柱１０の内部に導入するための通過手段として、蓋１４に穴２４を開けたが、蓋１４ではなく、電柱１０の側面に穴を開けてもよい。また、引込ケーブル１３が通る蓋１４の側面を変形して突出させて、引込ケーブル１３を内部に導入してもよいし、上方開口部１０ａの周囲に位置する電柱側面に、引込ケーブル１３が入る程度の窪みを設けてもよい。
【００４２】
また、プリペイドカードは、使い捨てのものに限らず、必要額をチャージできるようにしてもよい。こうすることによって、電気を多く使用する場合でも、何枚もプリペイドカードを持ち運ぶ必要がなくなり、便利である。
【００４３】
また、設置場所やその周囲の環境によっては、特定の電柱からのみ電気が取り出されることが考えられる。特定の電柱から電気が多く取り出されると、電流が規定値を超え、故障の原因となりかねない上、同じ電柱から分岐された電気を使用している家庭等にも影響を及ぼすおそれがある。このため、電気が取り出されることが多い特定の電柱には、電流制限器を取り付けてもよい。
【００４４】
この場合、ＳＴ１１で制御部３９によってプリペイドカードの残高が０ではないと判断されたとしても、電気機器に流れる電流が規定値を超えた場合は、ただちにステップＳＴ１３でスイッチ３８がオフにされ、ステップＳＴ１４でカードに残高が記録され、ステップＳＴ１５でカードがカード挿入口３３ａより排出される。このとき、表示部３５にカードが排出される理由を具体的に表示させてもよい。
【産業上の利用可能性】
【００４５】
この発明は、コンセントを内部に備えた電柱に係るものであり、屋外での電気機器の使用に適用できる。
【図面の簡単な説明】
【００４６】
【図１】電柱の構成を示す図である。
【図２】電柱の縦断面図である。
【図３】電柱の縦断面図である。
【図４】上方開口部に対応した電柱の横断面図である。
【図５】下方開口部に対応した電柱の横断面図である。
【図６】コンセント基板の回路系を示す図である。
【図７】制御部の動作を示すフローチャートである。
【符号の説明】
【００４７】
１０…電柱、１０ａ…上方開口部、１０ｂ…下方開口部、１０ｃ…腕金、１１…配電線、１２…引込分岐端子箱、１３…引込ケーブル、１４，１７…蓋、１４ａ，１７ａ…取っ手、１４ｂ，１７ｂ…ヒンジ、１５…端子基板、１６…接続ケーブル、１８…コンセント基板、２１，３１…入力端子、２２…出力端子、２３，３２…支持部材、２４…穴、３３…カードリーダ、３３ａ…カード挿入口、３４…取り出しボタン、３５…表示部、３６…コンセント、３７…電流測定部、３８…スイッチ、３９…制御部、ＥＶ…電気自動車
【図１】
2007020253.tif 000003
【図２】
2007020253.tif 000004
【図３】
2007020253.tif 000005
【図４】
2007020253.tif 000006
【図５】
2007020253.tif 000007
【図６】
2007020253.tif 000008
【図７】
2007020253.tif 000009